(57)【要約】【課題】類似および所定の特徴を有する複数の実物体をモデリングするシステムを提供する。【解決手段】本発明の特定の対象は、実物体を受容するのに適していて、前記少なくとも１つの実物体の使用の姿勢と類似の姿勢で物体を提示するように構成された、支持体と、少なくとも２つの個別の視点から実物体の少なくとも２つの異なる画像を取得するように構成された画像取得装置と、これらの画像を受信して、実物体の少なくとも２つのテクスチャを取得するためにこれらの画像の各々における実物体の描写を切り取るように構成された、データ処理装置とを含むシステムを用い、実物体の全体的三次元モデルを取得し、取得されたテクスチャおよび全体的三次元モデルから実物体の三次元モデルを作成する、類似および所定の特徴を有する実在モデルからの三次元描写の作成である。【選択図】図１
2013164850.tif 000002
【特許請求の範囲】
【請求項１】
類似および所定の特徴を有する複数の実物体（１１０）をモデリングするシステムであって、
類似および所定の特徴を有する前記複数の実物体から少なくとも１つの実物体を受容することが可能な支持体（１０５）であって、前記少なくとも１つの実物体の使用の姿勢と類似の姿勢で物体を提示するように構成されている、支持体と、
少なくとも２つの個別の視点から前記少なくとも１つの実物体の少なくとも２つの異なる画像を取得するように構成された、少なくとも１つの画像取得装置（１１５−１；１１５−２）と、
前記少なくとも１つの実物体の前記少なくとも２つの異なる画像を受信するステップ（３０５）と、
前記少なくとも１つの実物体の少なくとも２つのテクスチャを取得するために、前記少なくとも２つの画像の各々の中の前記少なくとも１つの実物体の描画を切り取るステップ（３１０）と、
前記少なくとも１つの実物体の全体的三次元モデルを取得するステップ（３２０）と、
取得された前記少なくとも２つのテクスチャおよび前記全体的三次元モデルから前記少なくとも１つの実物体の三次元モデルを作成するステップと、
を実行するように構成されたデータ処理装置（１２０）と、を含むことを特徴とする、システム。
【請求項２】
画像取得装置が少なくとも１つの第一および１つの第二画像センサを含み、前記少なくとも１つの第一および１つの第二画像センサは、前記少なくとも２つの画像の各々を取得するためにそれぞれ使用される、請求項１に記載のシステム。
【請求項３】
前記少なくとも１つの第一および１つの第二画像センサが、前記支持体に対して固定された所定の位置に配置されている、請求項２に記載のシステム。
【請求項４】
前記支持体が、クロマキー方式の画像処理に適した同一色を有する、請求項１から３のいずれか一項に記載のシステム。
【請求項５】
前記支持体が、前記少なくとも１つの実物体の静止点を形成する少なくとも１つの突起部を含む、請求項１から４のいずれか一項に記載のシステム。
【請求項６】
前記支持体が、前記少なくとも１つの実物体の２つの静止点を形成する少なくとも２つの開口部を含む、請求項１から５のいずれか一項に記載のシステム。
【請求項７】
前記データ処理装置がさらに、複数の全体的三次元モデルから１つの全体的三次元モデルを特定するように構成されており、取得された前記全体的三次元モデルは前記特定された全体的三次元モデルである、請求項１から６のいずれか一項に記載のシステム。
【請求項８】
前記データ処理装置がさらに、前記少なくとも１つの実物体の前記少なくとも２つのテクスチャのうちの少なくとも１つを修正するように構成されている、請求項１から７のいずれか一項に記載のシステム。
【請求項９】
前記データ処理装置がさらに、前記少なくとも１つの画像取得装置にコマンドを送信するように構成されており、前記少なくとも１つの実物体の前記少なくとも２つの異なる画像は前記コマンドに応えて取得される、請求項１から８のいずれか一項に記載のシステム。
【請求項１０】
前記コマンドが、前記少なくとも１つの画像取得装置の構成パラメータを含む、請求項９に記載のシステム。
【発明の詳細な説明】
【技術分野】
【０００１】
本発明は、実物体のモデリングに関し、より具体的には類似および所定の特徴を有する実在モデルから三次元描写を作成するシステムに関する。
【背景技術】
【０００２】
実物体の三次元描写は、コンピュータ支援設計またはシミュレーションなど、多数のアプリケーション向けのコンピュータシステムにおいて、しばしば使用される。このため、たとえば、眼鏡の三次元描写は、特にその形状および色によって潜在購入者が特定の眼鏡を選択するのを助けるために、拡張現実感アプリケーションにおいて、潜在購入者によって使用されることが可能である。
【０００３】
三次元描写は、通常はそのテクスチャが関連づけられた表面を表す１組の点および／または曲線を含む、コンピュータエンティティである。
【０００４】
このような三次元描写は通常、ＣＡＤアプリケーション（「Ｃｏｍｐｕｔｅｒ  Ａｉｄｅｄ  Ｄｅｓｉｇｎ（コンピュータ支援設計）」の頭字語）と称される設計ソフトウェアアプリケーションから生成される。
【０００５】
これらはまた、トポロジー的な情報ならびに、必要であれば色およびテクスチャなどの外観に関する情報を得るために、たとえばこれらの物体を分析するスキャナを用いてデジタル化することによって、実物体から作成されることも可能である。通常、スキャナは、その後それらの形状を推定するために、モデリング対象の物体の表面の、所定の座標系における、点のサンプリングの位置を決定する。
【０００６】
物体の写真もまた、画像分析によってこれらをモデリングするために使用され得る。
【発明の概要】
【発明が解決しようとする課題】
【０００７】
既存の解決策は良好な三次元描写の取得を可能にする一方で、これらは一般的に実施するには複雑であり、および／または法外な費用がかかる。したがって、それらを解決する必要がある。
【課題を解決するための手段】
【０００８】
本発明の目的は、類似および所定の特徴を有する複数の実物体をモデリングするシステムであり、このシステムは、以下の装置を含む：
−類似および所定の特徴を有する前記複数の実物体から少なくとも１つの実物体を受容することが可能な支持体であって、前記少なくとも１つの実物体の使用位置と類似の位置に物体を提示するように構成されている、支持体と；
−少なくとも２つの個別の視点から前記少なくとも１つの実物体の少なくとも２つの異なる画像を取得するように構成された、少なくとも１つの画像取得装置と；
・前記少なくとも１つの実物体の前記少なくとも２つの異なる画像を受信するステップと、
・前記少なくとも１つの実物体の少なくとも２つのテクスチャを取得するために前記少なくとも２つの異なる画像の各々の中の前記少なくとも１つの実物体の描画を切り取るステップと、
・前記少なくとも１つの実物体の全体的三次元モデルを取得するステップと、
・取得された前記少なくとも２つのテクスチャおよび前記全体的三次元モデルから前記少なくとも１つの実物体の三次元モデルを作成するステップと、
−を実行するように構成されたデータ処理装置。
【０００９】
したがって本発明によるシステムは、共通および所定の特徴を有する実物体の三次元描写の作成を容易にし、これら三次元描写を作成する費用を削減することを、可能にする。
【００１０】
特定の実施形態によれば、画像取得装置は、少なくとも１つの第一および１つの第二画像センサを含み、前記少なくとも１つの第一および１つの第二画像センサは、前記少なくとも２つの画像の各々を取得するためにそれぞれ使用される。前記少なくとも１つの第一および１つの第二画像センサは好ましくは、前記支持体に対して固定された所定の位置に配置される。
【００１１】
このため本発明によるシステムは、事前較正可能であり、したがって問題の実物体のモデリングまたはその分野の特別な知識のない人による、共通および所定の特徴を有する実物体の三次元描写の作成を、可能にする。
【００１２】
特定の実施形態によれば、前記支持体は、クロマキー方式の画像処理に適した同一色を有する。
【００１３】
やはり特定の実施形態によれば、前記支持体は、前記少なくとも１つの実物体の静止点を形成する少なくとも１つの突起部、および／または前記少なくとも１つの実物体の２つの静止点を形成する少なくとも２つの開口部を含む。したがって支持体は、その三次元描写が取得されるべき実物体の迅速かつ正確な位置決めを可能にし、こうしてその作成を容易にする。
【００１４】
やはり特定の実施形態によれば、前記データ処理装置はさらに、作成された前記三次元描写の品質を改善するように、複数の全体的三次元モデルから１つの全体的三次元モデルを特定するように構成されており、取得された前記全体的三次元モデルは、前記特定された全体的三次元モデルである。
【００１５】
前記データ処理装置はさらに、作成された前記三次元描写の品質を改善するために、前記少なくとも１つの実物体の前記少なくとも２つのテクスチャのうちの少なくとも１つを修正するように構成されることが可能である。
【００１６】
特定の実施形態によれば、前記データ処理装置はさらに、三次元描写の作成プロセスを自動化するために、前記少なくとも１つの画像取得装置にコマンドを送信するように構成されており、前記少なくとも１つの実物体の前記少なくとも２つの異なる画像は前記コマンドに応えて取得される。前記コマンドは、画像取得装置の制御を改善するために、前記少なくとも１つの画像取得装置の構成パラメータを含むことができる。
【００１７】
本発明のその他の利点、目的、および特徴は、以下の添付図面を参照して、非限定例によって、以下の詳細な説明から明らかになるだろう。
【図面の簡単な説明】
【００１８】
【図１】共通および所定の特徴を有する実物体をモデリングするために本発明を実施することを可能にする環境の例を示す図である。
【図２】図２（ａ）から図２（ｆ）を含み、モデリング対象の実物体、この場合は眼鏡が、この目的のために使用される支持体上に通常の使用条件で、この場合は顔に、位置決めされる方法を示す上面図、前面図、側面図である。
【図３】実物体をモデリングするための、本発明によって実施される特定のステップを示す模式図である。
【図４】本発明または本発明の一部を実施するのに適したデータ処理装置の一例を示す図である。
【発明を実施するための形態】
【００１９】
一般用語で言えば、本発明の主題は、眼鏡など、共通および所定の特徴を有する実物体の三次元描写の生成を自動化することである。この目的のため、本発明は、モデリング対象の実物体の物理的支持体、カメラおよびビデオカメラなどの１つ以上の画像取得装置、およびパーソナルコンピュータまたはワークステーション型のデータ処理装置を利用する。
【００２０】
モデリングの間、モデリング対象の実物体を保持するために使用される物理的支持体は、この物体の使用条件に近い条件の下で実物体を保持するのに適している。具体的には、物理的支持体は、使用中に覆われる可能性のある領域を覆うことによって、それが使用される位置に物体を保持することができるようにする。さらに支持体は、画像取得装置に対して、いくつかの類似の物体をモデリングするための基準の単一の標準化フレームの使用を可能にするようなやり方で、配置される。
【００２１】
支持体は有利なことに、画像処理、具体的にはいわゆるクロマキー操作などの画像領域の抽出操作を容易にするために、同一色を有して均一なやり方で光を反射させる材料から作られる。
【００２２】
これは通常、たとえば球形または卵形形状を有する表面などの閉鎖した表面、またはたとえば図１および図２に示されるような特定の方向の波状ブラケットの形状を有する、すなわちこの方向に曲線を延在させる、平面曲線などの曲線の展開によって生成される表面など、開放した表面からなる。
【００２３】
特定の実施形態によれば、支持体は半透明材料から作られ、内部に位置する光源を含む。この実施形態は、特に物体のテクスチャの抽出を可能にする背面照明技術によって、画像で現わす実物体の描写の抽出を容易にすることができるようにする。
【００２４】
モデリング対象の物体が支持体上に配置された後、この物体の画像、たとえば前方からの画像および画像の側方からの画像が、取得される。これらの画像は、いくつかの固定画像取得装置および／または可動画像取得装置から、取得されることが可能である。これらの装置はパーソナルコンピュータ型のデータ処理装置に接続されており、取得された画像を処理および分析することができるようにする。
【００２５】
図１は、共通および所定の特徴を有する実物体をモデリングするための、本発明を実施することができるようにする環境１００の一例を示す。
【００２６】
環境１００は、具体的には、特定の位置に応じてモデリング対象の物体のうちの少なくとも１つ、この場合は眼鏡１１０のような眼鏡を受容するように構成された、支持体１０５を含む。与えられた例によれば、環境１００はさらに、たとえば標準ＰＣタイプのコンピュータ（「Ｐｅｒｓｏｎａｌ  Ｃｏｍｐｕｔｅｒ（パーソナルコンピュータ）」の頭字語）など、コンピュータ１２０に接続された、たとえばカメラ等の２つの画像取得装置１１５−１および１１５−２含む。
【００２７】
画像取得装置１１５−１および１１５−２はこの場合、画像取得装置１１５−１は支持体１０５上に正しく配置されたモデリング対象の眼鏡に対して片側にあり、画像取得装置１１５−２は前記対の眼鏡の前方にあるように、支持体１０５に対して配置される。
【００２８】
コンピュータ１２０は、図３を参照して記載される２つの画像取得装置１１５−１および１１５−２によって取得された画像から、眼鏡１１０をモデリングする。
【００２９】
モデリング対象の物体のいくつかの画像の取得のため、２つより多くの画像取得装置が使用されてもよく、あるいは移動させることによって単一の画像取得装置が使用されてもよいことは、認められる。
【００３０】
支持体１０５はたとえば、ＰＶＣ（ポリ塩化ビニル）などのプラスチック材料から作られる。図１および図２に模式的に示されるように、支持体１０５は眼鏡の蔓の末端を受容するための２つの開口部、およびレンズの間に位置するフレームの部分に固定された２つの鼻当てを受容するのに適した突起を含む。２つの開口部および突起は、ほぼ水平面内に揃っている。
【００３１】
２つの画像取得装置１１５−１および１１５−２は、支持体１０５上に位置しているときに、眼鏡１１０の姿勢が一定であって所定可能であるように、支持体１０５に対して所定の位置に配置される。言い換えると、支持体１０５上の眼鏡１１０の位置は、着用したときに眼鏡が静止する３つの自然な点（耳および鼻）に対応する３つの基準静止点を支持体が有するということのため、このように標準化される。したがって、これら３つの基準静止点に関連して、基準の単一の標準化フレームは、全ての対の眼鏡をモデリングするために使用される。この基準のフレームは有利なことに、使用される支持体と眼鏡との間の連結を形成するためにモデリングのため、ならびに顔の描写上の眼鏡のモデルの位置決めのために、容易に使用され得るように、基準静止点、たとえばレンズの間に位置するフレームの部分に固定された２つの鼻当ての静止点に、関連づけられている。
【００３２】
単一の画像取得装置が移動させながら使用されるとき、これは特定の所定位置にしたがってずらされる。
【００３３】
支持体１０５はこの場合、側面カメラ画像において、反対の蔓の裏側および眼鏡を着用したときに耳に隠れる蔓の部分を覆うこと、および蔓が前面から見えなくなるようなやり方で蔓を分離することが可能なようになっている。
【００３４】
図２（ａ）から図２（ｆ）を含む図２は、モデリング対象の実物体、この場合は眼鏡が、この目的のために使用される支持体上に通常の使用条件で、この場合は顔に、位置決めされる方法を、上から、上面、前面、および側面図で示す。
【００３５】
上から見ると、図２（ａ）および図２（ｂ）は、眼鏡１１０がそれぞれ支持体１０５上および顔２００上に位置決めされる方法を示している。図示されるように、眼鏡１１０は支持体１０５の３つの静止点上にあり、支持体１０５の突起に関連づけられた静止点２０５は、静止点２１５上に眼鏡１１０を保持するための鼻と類似の役割を有し、眼鏡１１０の蔓の末端が挿入される支持体１０５に形成された開口部に関連づけられた２つの静止点２１０−１および２１０−２は、２２０−１および２２０−２が付された静止点上に眼鏡１１０を保持するための耳と類似の役割を有する。支持体１０５の開口部および単純ではない突起の使用は、（耳と同様に）蔓の末端を覆うことができるようにする。当然ながら、耳の形状のような特殊な形状を有する突起が、蔓の静止点として使用されてその末端を覆うことも可能である。
【００３６】
同様に、図２（ｃ）および図２（ｄ）は、前面図において、眼鏡１１０がそれぞれ支持体１０５上および顔２００上に位置決めされる方法を示している。ここでも、図示されるように、眼鏡１１０は、眼鏡１１０の着用者の鼻および耳に関連づけられた、顔２００の静止点２１５、２２０−１、および２２０−２と類似の役割を有する、支持体１０５の３つの静止点２０５、２１０−１、および２１０−２上に静止している。
【００３７】
やはり同様に、図２（ｅ）および図２（ｆ）は、側面図において、眼鏡１１０がそれぞれ支持体１０５上および顔２００上に位置決めされる方法を示している。ここでも、図示されるように、眼鏡１１０は、眼鏡１１０の着用者の鼻および耳に関連づけられた、顔２００の静止点２１５、２２０−１、および２２０−２と類似の役割を有する（この場合は静止点２２０−２は顔２００によって覆われている）、支持体１０５の３つの静止点２０５、２１０−１、および２１０−２上にある（この場合は静止点２１０−２は支持体１０５によって覆われている）。
【００３８】
図１に示される実施によれば、２つの画像取得装置１１５−１および１１５−２は支持体１０５の周りに配置され、１つは前方から、他方は支持体の片側からの画像を取得できるようにする。場合により、支持体の反対側からの画像を取得するために、第三画像取得装置が使用されることも可能である。同様に、上方からの画像を取得するために、場合により第三または第四画像取得装置が使用されることも可能である（眼鏡のみを対象としているものの、このような視野はモデリング対象のその他の実物体にも有用であると証明されるだろう）。これらの装置は有利なことに、これらの光学系が同等である場合には支持体から等しい距離に、またはモデリング対象の実物体の描画がこれらの装置によって取得される画像の各々において同じ倍率となるように使用される光学系を考慮に入れた距離に、位置している。
【００３９】
２つの固定画像取得装置が使用されるとき、モデリング対象の実物体は対称的であると仮定することができる。この場合、対の眼鏡に関して右側の蔓は左側の蔓の反転画像であると仮定される。さらに、このような仮説は、実物体を描写するために記憶されるデータの量を制限できるようにすることが、認められる。
【００４０】
先に記載されたように、３つの画像取得装置は、たとえばＵＳＢ方式（「Ｕｎｉｖｅｒｓａｌ  Ｓｅｒｉａｌ  Ｂｕｓ（ユニバーサル・シリアル・バス）」の頭字語」の接続を用いて、コンピュータに接続される。
【００４１】
特定の実施形態によれば、この接続は双方向性である。これは、各画像取得装置が具体的には撮影するために制御されること、ならびに、適切であれば、写真の露光時間およびＩＳＯ感度の制御などの調整が実行されることを、可能にする。これはまた、画像取得装置が接続されているコンピュータの、たとえばハードディスクなどの大容量記憶装置への、取得画像の伝送を可能にする。
【００４２】
図３は、実物体をモデリングするための、本発明によって実施される特定のステップを模式的に示す。
【００４３】
モデリング対象の実物体、この場合は眼鏡が、この目的のために提供された支持体上で所定位置に位置決めされた後、本発明を実施するために使用される画像取得装置に接続されたコンピュータによって、コマンドが送信される（ステップ３００）。このコマンドは、画像取得の単純な命令、または特定のパラメータに応じて（１つまたは複数の）画像取得装置を構成するように意図されたより複雑なコマンドを、含むことができる。あるいは、コマンドは、コンピュータに配信された画像を保存するように意図される。
【００４４】
このコマンドは、ユーザによって手入力で、またはこの目的のために提供された支持体上のモデリング対象の実物体の存在の検出によって自動的に、生成されることが可能である。このような検出は、画像解析によって、または接触を用いて、実行されることが可能である。
【００４５】
取得された画像は、３０５のステップにおいて、コンピュータによって受信される。
【００４６】
次にモデリング対象の実物体の描写の輪郭をそこから抽出するために、切り取り操作が受信された画像上で実行される（ステップ３１０）。判定された輪郭に応じて取得された結果的なテクスチャは、潜在的な悪影響を排除するために修正されることが可能である。
【００４７】
切り取りステップは具体的には、与えられた閾値に応じて所定の色、通常は緑色を有する１組の点を取り除くことを目的とする、クロマキー方式のアルゴリズムを用いて実行されることが可能である。このアルゴリズムはこの場合特に、そのレンズが透明である処方眼鏡のモデリングに適している。このアルゴリズムは、物体の透明度、すなわちこの場合はレンズのテクスチャの特徴を推定するために、背面照明条件の下で撮られた、先に使用されたのと類似の画像の解析によって、完了することが可能である。このような追加ステップは、対のサングラスのモデリングに特に適している。
【００４８】
適切であれば先に記載された（１つまたは複数の）ステップによって完了する、この切り取りステップは、（１つは前方から、もう１つは側面から撮られた２つの画像を用いて）モデリング対象の眼鏡の少なくとも２つの部分の、二次元の描写が取得され得るようにする。これら２つの部分は、前面図および側面図に相当する。
【００４９】
これらの描写（または視線）は次に、眼鏡の平面描写を作成するために、この場合は組み合わせられる（ステップ３１５）。
【００５０】
先に記載されたように、（１つは前面図、もう１つは側面図を表す）２つの画像のみが使用される場合、側面からの眼鏡の描写、すなわち蔓の描写は、欠落している蔓の描写を作成するために、蔓とレンズを含むフレームの部分との間に位置する垂直面内で、対称的に複写される。
【００５１】
続くステップ（ステップ３２０）において、テンプレート、すなわち通常は全体的でテクスチャを含まない三次元モデルが、様々な形状および／またはサイズを有する複数のテンプレートを含むデータベース３２５内で検索される。選択されたテンプレートは、その形状およびサイズが先のステップの間に決定された眼鏡の描写に最も近いテンプレートである。言い換えると、選択されたテンプレートは、眼鏡の描写がテンプレートに重ねられたときにこれによって覆われない表面を最小化するものである。あるいは、単一の全体的なテンプレートが使用されることも可能である。
【００５２】
次に、この場合は所定の三次元モデルにテクスチャを適用するステップからなる周知のいわゆる替え玉技術（ｉｍｐｏｓｔｏｒ  ｔｅｃｈｎｉｑｕｅ）を用いることによって、眼鏡の三次元モデルが作成される。
【００５３】
取得された三次元モデルはその後、データベース３３５に保存される（ステップ３３０）。取得されたこの三次元モデルは、通常は３つから６つの表面を含む簡素化された幾何形状に基づいて、支持体１０５上に配置された眼鏡の簡素化モデルである。
【００５４】
したがって、言い換えると、簡素化三次元モデルは、必要であればいくつかから選択された眼鏡の全体的モデル（形状テンプレート）に、ならびに特定の実施形態によれば中間透明度のアルファチャネルを有するカットアウトテクスチャに、基づいている。
【００５５】
この場合、切り取りステップについて、照明および露光時間などの撮影パラメータ、ホワイトバランスおよび感度が、眼鏡と別の眼鏡とのモデリングで修正されない場合、たとえば使用されるクロマキー方式のアルゴリズムのパラメータなど、切り取りパラメータが同じままであることは、認識される。システムはその後、色が調整される。
【００５６】
さらに、システムが正しく較正された場合、具体的には画像取得装置と眼鏡との間の距離が同じである（または使用される光学系によって補正される）場合、使用される支持体の同じ３つの静止点が常時存在する場合、および同じテンプレートが使用される場合には、三次元モデルの作成は、全ての組の眼鏡について完全に自動化されることが可能である。実際、１対目の眼鏡のモデリングに関わるパラメータ、具体的には位置決めおよび倍率のパラメータを保存することによって、引き続き眼鏡のモデリングにこれらを使用することが可能である。システムはその後、位置決めについて調整される。
【００５７】
ここで、いくつかのテンプレートが（たとえば対の眼鏡の接合部の位置に関して）類似のプロファイルを有する場合にこれらが使用されてもよいとはいえ、実際にはテンプレートは位置決めおよび／または倍率におけるずれを生じる可能性のある、異なる幅を有する場合が多いことは、特筆される。
【００５８】
図４は、少なくとも部分的に本発明、具体的には図３を参照して記載されたステップを実施するために使用され得るデータ処理装置の例を示す。装置４００はたとえばＰＣ型のコンピュータである。
【００５９】
装置４００は好ましくは通信バス４０２を含み、これに接続されているのは、
−中央処理装置（ＣＰＵ）またはマイクロプロセッサ４０４と、
−オペレーティングシステムおよび「Ｐｒｏｇ」などのプログラムを包含することができる読み出し専用メモリ（ＲＯＭ）４０６と、
−上述のプログラムの実行中に作成および修正された変数およびパラメータを保存することが可能なレジスタを包含する、ランダム・アクセス・メモリ（ＲＡＭ）またはキャッシュメモリ４０８と、である。
【００６０】
場合により、装置４００は、以下の要素も有することができる：
−たとえばインターネット等の通信ネットワーク４２８に接続された通信インターフェース４２６であって、データを送受信することが可能なインターフェースと、
−画面４１６に接続されたグラフィックスカード４１４と、
−上述のプログラム「Ｐｒｏｇ」および本発明によって処理済みまたは処理されるデータを含むことができるハードディスク４２０と、
−本発明によるプログラムとユーザが対話できるようにする、キーボード４２２およびマウス４２４またはライトペン、タッチ画面、またはリモコンなどその他のポインティングデバイスと、
−本発明によって処理済みまたは処理されるデータの読み出しまたは書き込みが可能なメモリ・カード・リーダ（図示せず）。
【００６１】
通信バスは、装置４００に含まれるかまたはこれに連結された異なる要素の間の通信および相互運用を可能にする。バスの描写は限定的ではなく、具体的には、中央処理装置は装置４００のいずれの要素にも、直接または装置４００の別の要素を通じて、命令を送ることができる。
【００６２】
本発明による手順をプログラム可能装置が実施できるようにする各プログラムの実行可能コードは、たとえばハードディスク４２０上に、または読み出し専用メモリ４０６内に、記憶されることが可能である。
【００６３】
変形例によれば、プログラムの実行可能コードは、先に記載されたのと同一のやり方で、記憶のために通信ネットワーク４２８を用いて、インターフェース４２６を通じて、受信されることが可能である。
【００６４】
より一般的には、（１つまたは複数の）プログラムは、実行される前に装置４００の記憶手段のうちの１つにロードされることが可能である。
【００６５】
中央処理装置４０４は、本発明による１つまたは複数のプログラムの命令またはソフトウェアコードの部分の実行を、制御および指示することになり、この命令は、ハードディスク４２０上、または読み出し専用メモリ４０６内、またはその他上述の記憶要素内に、記憶されている。通電されると、たとえばハードディスク４２０または読み出し専用メモリ４０６などの不揮発性メモリ内に記憶された１つまたは複数のプログラムは、後に本発明による１つまたは複数のプログラムの実行可能コードを包含するランダム・アクセス・メモリ４０８、ならびに本発明の実施に必要な変数およびパラメータを記憶するためのレジスタに、伝送される。
【００６６】
本発明による装置を包含する通信装置はプログラムされた装置であってもよいことは、特筆すべきである。するとこの装置は、たとえば特定用途向け集積回路（ＡＳＩＣ）内に固定された（１つまたは複数の）ソフトウェアプログラムのコードを包含する。
【００６７】
当然ながら、特定の要件を満たすために、本発明の分野の当業者は、先の記載に修正を加えることができる。具体的には、本発明は特に対の眼鏡のモデリングに関連して記載されたが、これは共通および所定の特徴を有するその他いずれかの実物体に対して実施することが可能である。
【符号の説明】
【００６８】
１００  環境
１０５  支持体
１１０  眼鏡
１１５−１、１１５−２  画像取得装置
１２０  コンピュータ
２００  顔
２０５、２１０−１、２１０−２、２１５、２２０−１、２２０−２  静止点
３２５、３３５  データベース
４００  データ処理装置
４０２  通信バス
４０４  中央処理装置、マイクロプロセッサ
４０６  読み出し専用メモリ
４０８  ランダム・アクセス・メモリ、キャッシュメモリ
４１４  グラフィックスカード
４１６  画面
４２０  ハードディスク
４２２  キーボード
４２４  マウス
４２６  通信インターフェース
４２８  通信ネットワーク
【図１】
2013164850.tif 000003
【図２】
2013164850.tif 000004
【図３】
2013164850.tif 000005
【図４】
2013164850.tif 000006
【外国語明細書】
2013164850000001.pdf